(57)【要約】【課題】伝送されて来たデジタルカメラ等の撮影画像を外部ＰＣから確認でき、しかも送信元情報、受信時刻も知り得る。【解決手段】ファックス着信した画像データが、ｓＹＣＣ−ＪＰＥＧ画像データの場合（ＳＴ４）には、ＴＳＩ信号中の電話番号、氏名等の送信元情報を一旦記憶しておき（ＳＴ６）、画像データを受信し（ＳＴ７）、その後、受信完了時刻も一旦記憶し（ＳＴ８）、画像データの受信ファイルに、一旦記憶してある送信元情報と受信完了時刻を追加保持する（ＳＴ９）。外部ＰＣからｓＹＣＣ−ＪＰＥＧ画像データの転送依頼があると、送信元情報、受信完了時刻も併せて一体で転送できる。【選択図】　　　図２
2004135145.tif 000002
【特許請求の範囲】
【請求項１】
ｓＹＣＣ−ＪＰＥＧ対応可能であり、受信したｓＹＣＣ−ＪＰＥＧ画像データを画像記憶手段に記憶するカラー画像通信装置であって、前記記憶手段に、送信元の情報を前記ｓＹＣＣ−ＪＰＥＧ画像データとともに記憶しておき、前記ｓＹＣＣ−ＪＰＥＧ画像データと送信元の情報を外部情報端末装置に転送し得るようにしたことを特徴とするカラー画像通信装置。
【請求項２】
前記送信元情報は、保有者情報であることを特徴とする請求項１記載のカラー画像通信装置。
【請求項３】
前記送信元情報に加えて、受信時刻を記憶し、転送するようにしたことを特徴とする請求項１又は請求項２記載のカラー画像通信装置。
【発明の詳細な説明】
【０００１】
【発明の属する技術分野】
この発明は、ｓ（スタンダード）ＹＣＣ−ＪＰＥＧ対応可能なファクシミリ装置、複合機等のカラー画像通信装置に関する。
【０００２】
【従来の技術】
近年、カラー読み取り装置を備え、読み取ったカラー画像も電話回線を介して伝送するカラーファクシミリ装置が開発されている。この種のカラーファクシミリ装置の画像伝送は、ＩＴＵ勧告Ｔ．８１にしたがって行われるものであり、所定のサイズの原稿しか伝送できない。そのため、デジタルカメラによって撮影した画像データは、ファックス伝送ができない。そこで、デジタルカメラ等の画像データをファックス伝送できるように、デジタルカメラの記憶メディアのスロットを、ファクシミリ装置に装備し、デジタルカメラ等で撮影し得たＹＣｂ　Ｃｒ　−ＪＰＥＧ画像データを、記録メディアから一旦メモリに読み出し、これをファクシミリ装置のメモリにＲＧＢ画像データとして展開した後、画像データの横幅が所定画素数になように白画素を付加してから、再度Ｌａｂ−ＪＰＥＧ画像データに圧縮し、順次Ｔ．８１にしたがって送信する技術が提案されている（例えば、特許文献１参照）。
【０００３】
【特許文献１】
特開２００１−２８５６４７号公報
【０００４】
【発明が解決しようとする課題】
上記した特許文献１に記載の技術や、更にｓＹＣＣ−ＪＰＥＧ画像データに対応可能なファクシミリ装置の出現で、デジタルカメラ等の画像データを容易に伝送可能となっているが、ファックス伝送されて来た画像データをプリントせずに保存しておく場合が考えられる。そして、外部端末、例えば外部ＰＣ（パソコン）から、ＪＰＥＧファイルの呼出しがかかり、外部ＰＣの表示装置にＪＰＥＧ画像を表示することがある。この際に、単に撮影画像のみの表示では、誰が、いつ撮影したものかわからない、という問題がある。
【０００５】
この発明は上記問題点に着目してなされたものであって、伝送されて来た撮影画像を印刷しないで記憶しておく場合に、外部端末装置からも撮影画像を確認でき、しかも元の撮影画像データの保有者情報や撮影時刻をも知り得るカラー画像通信装置を提供することを目的としている。
【０００６】
【課題を解決するための手段】
この発明のカラー画像通信装置は、ｓＹＣＣ−ＪＰＥＧ対応可能であって、受信したｓＹＣＣ−ＪＰＥＧ画像データを画像記憶手段に記憶するカラー画像通信装置であって、前記記憶手段に、送信元の情報を前記ｓＹＣＣ−ＪＰＥＧ画像データとともに記憶しておき、前記ｓＹＣＣ−ＪＰＥＧ画像データと送信元の情報を外部情報端末装置に転送し得るようにしている。
【０００７】
前記送信元の情報は、例えば発信元のファクシミリ装置の所有者であるが、デジタルカメラ等の所有者であっても良い。また、送信元の情報に付加して、受信時刻も併せて転送するようにしても良い。
【０００８】
このカラー画像通信装置では、送信されて来たｓＹＣＣ−ＪＰＥＧ画像データをプリントせずに記憶し、外部装置に転送する際に、画像の他に送信元の情報、受信時刻も転送するので、外部端末まで表示することにより、画像がどこから送られ、いま受信したかを知ることができる。
【０００９】
【発明の実施の形態】
以下、実施の形態により、この発明を更に詳細に説明する。図１に、この発明の実施形態カラー画像通信装置全体の概略構成を示すブロック図を示す。
【００１０】
この実施形態カラー画像通信装置は、ファクシミリ機能とコピー機能とを備えたいわゆるカラー複合機として構成したもので、主制御部１と、ＮＣＵ（網制御回路：Ｎｅｔｗｏｒｋ　Ｃｏｎｔｒｏｌ　Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ　ａｎｄ　Ｄｅｃｏｄｅｒ　）１１と、ＬＡＮＩ／Ｆ１２と、バス１３とを備える。
【００１１】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１２】
ＲＯＭ４は、この装置を制御するためのプログラムを記憶する。ＲＡＭ５は、データ等を一時的に記憶する。このＲＡＭ５には、ｓＹＣＣ−ＪＰＥＧファイル記憶用に割り当てられる記憶部５ａを備えている。
【００１３】
画像メモリ６は、受信画像データや画像読取部９で読み取った画像データを一時的に記憶する。表示部（ＬＣＤ）７は、アイコン、キーボタンの表示や、送受信に必要なメッセージ内容等を表示する。操作部８は、複数のワンタッチキーと、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記憶部１０は、カラープリントも可能である。ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣから、ＪＰＥＧファイル等のデータ転送の要求を受けると、記憶部５のＪＰＥＧデータを読み出し、ＬＡＮＩ／Ｆ１２、ＬＡＮ１５を介して、外部ＰＣに転送する。
【００１４】
次に、図２に示すフロー図を参照して、この実施形態装置カラー複合機の受信処理動作を説明する。先ず、ステップＳＴ１において、着信があると、ステップＳＴ２へ移行する。ステップＳＴ２においては、ＤＩＳ信号（標準の受信機能を有することを示すデジタル識別信号）を送信する。次に、ステップＳＴ３へ移行する。ステップＳＴ３においては、ＤＣＳ信号（デジタル命令信号）を受信したか否か判定する。ＤＣＳ信号が送信されて来ない場合は、ステップＳＴ２に戻る。一方、ＤＣＳ信号が送信されて来た場合には、ステップＳＴ４へ移行する。
【００１５】
ステップＳＴ４においては、ｓＹＣＣ−ＪＰＥＧ画像データが送信されて来たか否か判定する。ｓＹＣＣ−ＪＰＥＧ画像データが送信されて来た場合には、ステップＳＴ５へ移行する。一方、他の画像データが送信されて来た場合だと、ステップＳＴ１３へ移行する。ステップＳＴ１３においては、通常のファックス受信処理へ移行する。
【００１６】
ステップＳＴ５においては、送信側の情報を受信したか否か判定する。送信側の情報受信の場合は、ステップＳＴ６へ移行する。一方、送信側の情報受信でない場合は、ステップＳＴ６へスキップして、ステップＳＴ７へ移行する。ステップＳＴ６においては、送信側からのＴＳＩ（カナＩＤ）、例えば電話番号を、一旦送信元記憶部に記憶する。次に、ステップＳＴ７へ移行する。
【００１７】
ステップＳＴ７においては、受信したｓＹＣＣ−ＪＰＥＧファイルを記憶する。そして、ファイルＦＪは、図３に示すように、ｓＹＣＣ−ＪＰＥＧ画像データのファイルＪ１と、サムネイルＦＪ２と、送信元情報ファイルＪ３から構成されている。次に、ステップＳＴ８へ移行する。ステップＳＴ８においては、受信完了時刻を一旦記憶する。続いて、ステップＳＴ９へ移行する。ステップＳＴ９においては、受信ファイル（図３のＦＪ）にステップＳＴ６とステップＳＴ８で記憶している送信元情報と受信完了時刻情報を追加保持する。次に、ステップＳＴ１０へ移行する。
【００１８】
ステップＳＴ１０においては、ＥＯＰ信号（手順終了信号）の受信、ＭＣＦ信号（メッセージ確認信号）の送信等の後手順を実行する。続いて、ステップＳＴ１１へ移行する。ステップＳＴ１１においては、次ページ有りか否かを判定する。受信データの次ページが有する場合は、ステップＳＴ７へ戻る。一方、次ページがない場合は、ステップＳＴ１２へ移行する。ステップＳＴ１２においては、回線を断し、処理を終了する。
【００１９】
外部端末装置から実施形態カラー複合機に、ＬＡＮ１５、ＬＡＮＩ／Ｆ１２を介して処理依頼が入ると、図４に示す処理ルーチンに入り、ステップＳＴ２１において、外部から転送要求が有りか否か判定する。他の要求であれば、この処理ルーチンに入らない。一方、転送要求有りの場合は、ステップＳＴ２２へ移行する。ステップＳＴ２２においては、ｓＹＣＣ−ＪＰＥＧ画像データの転送か否か判定する。ｓＹＣＣ−ＪＰＥＧ画像データの転送である場合には、ステップＳＴ２３へ移行する。一方、他の画像データの転送の場合は、ステップＳＴ２４へ移行する。ステップＳＴ２３においては、図３に示すｓＹＣＣ−ＪＰＥＧファイルＦＪを記憶部５ａから読み出す。そして、ステップＳＴ２５へ移行する。ステップＳＴ２５においては、読み出したｓＹＣＣ−ＪＰＥＧファイルＦＪをＬＡＮＩ／Ｆ１２、ＬＡＮ１５を介して、依頼のあった外部端末装置に転送する。外部端末装置では、転送されて来たｓＹＣＣ−ＪＰＥＧ画像データを、例えば表示することにより、デジタルカメラ等で撮影した撮影画像の他に、送信元、受信時刻も確認できる。
【００２０】
ステップＳＴ２４においては、依頼のあった他の画像データを読み出し、ステップＳＴ２５へ移行し、読み出した画像データを依頼のあった外部端末装置に転送する。
【００２１】
【発明の効果】
この発明によれば、ｓＹＣＣ−ＪＰＥＧ対応可能であり、受信したｓＹＣＣ−ＪＰＥＧ画像データを画像記憶手段に記憶するカラー画像通信装置であって、前記記憶手段に、送信元の情報を前記ｓＹＣＣ−ＪＰＥＧ画像データとともに記憶しておき、前記ｓＹＣＣ−ＪＰＥＧ画像データと送信元の情報を外部情報端末装置に転送し得るようにしているので、外部端末装置において、ファックス伝送されて来たデジタルカメラ等の撮影画像とともに、送信元、受信時刻も確認できる。
【図面の簡単な説明】
【図１】この発明の一実施形態であるカラー複合機の構成を示すブロック図である。
【図２】同実施形態カラー複合機の画像受信時の処理動作を説明するフロー図である。
【図３】同実施形態カラー複合機におけるｓＹＣＣ−ＪＰＥＧファイルの概略構成を示す図である。
【図４】同実施形態カラー複合機における画像データの転送処理を説明するためのフロー図である。
【符号の説明】
１　　　　主制御部（ＣＰＵ）
２　　　　ＮＣＵ
３　　　　ＭＯＤＥＭ
４　　　　ＲＯＭ
５　　　　ＲＡＭ
５ａ　　　ｓＹＣＣ−ＪＰＥＧファイル記憶部
６　　　　画像メモリ
７　　　　表示部
８　　　　操作部
９　　　　画像読取部
１０　　　画像記録部
１１　　　ＣＯＤＥＣ
１２　　　ＬＡＮＩ／Ｆ
１３　　　バス
１４　　　電話回線
１５　　　ＬＡＮ
【図１】
2004135145.tif 000003
【図２】
2004135145.tif 000004
【図３】
2004135145.tif 000005
【図４】
2004135145.tif 000006
【手続補正書】
【提出日】平成14年10月28日(2002.10.28)
【手続補正１】
【補正対象書類名】明細書
【補正対象項目名】０００８
【補正方法】変更
【補正の内容】
【０００８】
このカラー画像通信装置では、送信されて来たｓＹＣＣ−ＪＰＥＧ画像データをプリントせずに記憶し、外部装置に転送する際に、画像の他に送信元の情報、受信時刻も転送するので、外部端末で表示することにより、画像がどこから送られ、いつ受信したかを知ることができる。


【手続補正２】
【補正対象書類名】明細書
【補正対象項目名】００１６
【補正方法】変更
【補正の内容】
【００１６】
ステップＳＴ５においては、送信側の情報を受信したか否か判定する。送信側の情報受信の場合は、ステップＳＴ６へ移行する。一方、送信側の情報受信でない場合は、ステップＳＴ６へスキップして、ステップＳＴ７へ移行する。ステップＳＴ６においては、送信側からのＴＳＩ（またはカナＩＤ）、例えば電話番号を、一旦送信元記憶部に記憶する。次に、ステップＳＴ７へ移行する。


【手続補正３】
【補正対象書類名】明細書
【補正対象項目名】００１８
【補正方法】変更
【補正の内容】
【００１８】
ステップＳＴ１０においては、ポストメッセージ信号の受信、ＭＣＦ信号（メッセージ確認信号）の送信等の後手順を実行する。続いて、ステップＳＴ１１へ移行する。ステップＳＴ１１においては、ポストメッセージの種類に従って、次ページ有りか否かを判定する。受信データの次ページが有する場合は、ステップＳＴ７へ戻る。一方、次ページがない場合は、ステップＳＴ１２へ移行する。ステップＳＴ１２においては、回線を断し、処理を終了する。